(57)【要約】【課題】撓みを抑制できる照明用光源を提供する。【解決手段】照明器具に固定される取り付け部材２０によって照明器具に保持される照明用光源１であって、長尺状の基台１１と長尺状の透光性カバー１２とで構成された長尺状の筐体と、基台１１に配置された基板１４ａと、基板１４ａに実装されたＬＥＤ１４ｂとを備え、基台１１は、当該基台１１の長手方向に沿って設けられた第１溝部１１ｃを有し、取り付け部材２０の一部は、第１溝部１１ｃにスライド挿入されている。【選択図】図１
2014116096.tif 000002
【特許請求の範囲】
【請求項１】
照明器具に固定される取り付け部材によって前記照明器具に保持される照明用光源であって、
長尺状の基台と長尺状の透光性カバーとで構成された長尺状の筐体と、
前記基台に配置された基板と、
前記基板に実装された発光素子とを備え、
前記基台は、当該基台の長手方向に沿って設けられた第１溝部を有し、
前記取り付け部材の一部は、前記第１溝部にスライド挿入されている
照明用光源。
【請求項２】
前記第１溝部は、前記スライド挿入の方向と直交する方向に窪んでおり、
前記第１溝部にスライド挿入される前記取り付け部材の前記一部は、前記スライド挿入の方向と直交する方向に突出している
請求項１に記載の照明用光源。
【請求項３】
前記透光性カバーは、長尺円筒の一部を長手方向に沿って切り欠いた主開口を有する切り欠き円筒部材であり、
前記基台は、当該基台の長手方向に沿って設けられた第２溝部を有し、
前記透光性カバーの前記主開口の端部は、前記第２溝部にスライド挿入されている
請求項１又は２に記載の照明用光源。
【請求項４】
前記基台の露出部分に、凹凸部が形成されている
請求項１〜３のいずれか１項に記載の照明用光源。
【請求項５】
前記基台は、金属である
請求項１〜４のいずれか１項に記載の照明用光源。
【請求項６】
請求項１〜５のいずれか１項に記載の照明用光源と、
前記照明器具とを備える
照明装置。
【発明の詳細な説明】
【技術分野】
【０００１】
本発明は、照明用光源及び照明装置に関し、特に、発光ダイオード（ＬＥＤ：Ｌｉｇｈｔ  Ｅｍｉｔｔｉｎｇ  Ｄｉｏｄｅ）等の発光素子を有するＬＥＤランプ及びこれを備えた照明装置に関する。
【背景技術】
【０００２】
ＬＥＤは、高効率及び長寿命であることから、様々な製品の光源として用いられている。中でも、ＬＥＤを用いたランプ（ＬＥＤランプ）は、従来から知られる蛍光灯や白熱電球等に代替する照明用光源として研究開発が進められている。例えば、直管形蛍光灯に代替する照明用光源として、直管形ＬＥＤランプが提案されている（例えば、特許文献１）。
【先行技術文献】
【特許文献】
【０００３】
【特許文献１】特開２００９−０４３４４７号公報
【発明の概要】
【発明が解決しようとする課題】
【０００４】
直管形ＬＥＤランプは、例えば、透光性を有する長尺状の筐体と、筐体の長手方向の両端部に設けられた一対の口金とを備えている。筐体の内部には、光源として、長尺状のＬＥＤモジュールが配置されている。ＬＥＤモジュールは、長尺状の基板と、当該基板上に一列に実装された複数のＬＥＤとによって構成されている。
【０００５】
しかしながら、直管形ＬＥＤランプは長尺状であることから、自重によって撓むという問題がある。例えば、ユーザが直管形ＬＥＤランプを照明器具に装着する場合等で、ユーザが直管形ＬＥＤランプの一方の端部を持ったときに、自重によって他方の端部が落ち込んで撓んでしまうという場合がある。また、直管形ＬＥＤランプを照明器具に装着した後であっても、自重によって長尺状の筐体の中央部が落ち込むようにして撓んでしまう場合もある。特に、１１０形の直管形ＬＥＤランプは全長が約２３６７ｍｍにもなることから、撓みが発生しやすい。このように筐体が撓んでしまうと、筐体に歪が生じるという問題がある。
【０００６】
本発明は、このような問題を解決するためになされたものであり、撓みを抑制できる照明用光源及び照明装置を提供することを目的とする。
【課題を解決するための手段】
【０００７】
上記目的を達成するために、本発明に係る照明用光源の一態様は、照明器具に固定される取り付け部材によって前記照明器具に保持される照明用光源であって、長尺状の基台と長尺状の透光性カバーとで構成された長尺状の筐体と、前記基台に配置された基板と、前記基板に実装された発光素子とを備え、前記基台は、当該基台の長手方向に沿って設けられた第１溝部を有し、前記取り付け部材の一部は、前記第１溝部にスライド挿入されていることを特徴とする。
【０００８】
また、本発明に係る照明用光源の一態様において、前記第１溝部は、前記スライド挿入の方向と直交する方向に窪んでおり、前記第１溝部にスライド挿入される前記取り付け部材の前記一部は、前記スライド挿入の方向と直交する方向に突出していることが好ましい。
【０００９】
また、本発明に係る照明用光源の一態様において、前記透光性カバーは、長尺円筒の一部を長手方向に沿って切り欠いた主開口を有する切り欠き円筒部材であり、前記基台は、当該基台の長手方向に沿って設けられた第２溝部を有し、前記透光性カバーの前記主開口の端部は、前記第２溝部にスライド挿入されている、としてもよい。
【００１０】
また、本発明に係る照明用光源の一態様において、前記基台の露出部分に、凹凸部が形成されていることが好ましい。
【００１１】
また、本発明に係る照明用光源の一態様において、前記基台は、金属であることが好ましい。
【００１２】
また、本発明に係る照明装置の一態様は、上記いずれかの態様の照明用光源と、前記照明器具とを備えることを特徴とする。
【発明の効果】
【００１３】
本発明によれば、長尺状であっても撓みを抑制できる照明用光源及び照明装置を実現できる。
【図面の簡単な説明】
【００１４】
【図１】図１（ａ）は、本発明の実施の形態に係る照明用光源の側面図であり、図１（ｂ）は、図１（ａ）の矢印Ｂ方向から見たときの同照明用光源の正面図であり、図１（ｃ）は、図１（ａ）のＡ−Ａ線における同照明用光源の断面図である。
【図２Ａ】図２Ａは、本発明の実施の形態に係る照明用光源に用いられるＬＥＤモジュールの斜視図である。
【図２Ｂ】図２Ｂは、本発明の実施の形態に係る照明用光源に用いられるＬＥＤモジュールの変形例の斜視図である。
【図３】図３は、本発明の実施の形態に係る照明装置の側面図である。
【図４】図４は、本発明の変形例１に係る照明用光源の断面図である。
【図５】図５は、本発明の変形例２に係る照明用光源の断面図である。
【発明を実施するための形態】
【００１５】
以下、本発明の実施の形態に係る照明用光源及び照明装置について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１６】
なお、各図は、模式図であり、必ずしも厳密に図示されたものではない。また、各図において、同じ構成部材については同じ符号を付している。
【００１７】
（照明用光源の全体構成）
まず、本発明の実施の形態に係る照明用光源１の全体構成について、図１を用いて説明する。図１（ａ）は、本発明の実施の形態に係る照明用光源の側面図であり、図１（ｂ）は、図１（ａ）の矢印Ｂ方向から見たときの同照明用光源の正面図であり、図１（ｃ）は、図１（ａ）のＡ−Ａ線における同照明用光源の断面図である。
【００１８】
本実施の形態に係る照明用光源１は、発光素子としてＬＥＤを用いたＬＥＤランプの一例であって、照明器具（不図示）に固定される取り付け部材２０によって照明器具に保持される。照明用光源１は、ＬＥＤランプ１０と、ＬＥＤランプ１０に取り付けられた取り付け部材２０とを備える。
【００１９】
ＬＥＤランプ１０は、従来の直管形蛍光灯に代替する直管形ＬＥＤランプであって、両端部に口金が設けられた長尺筒状の筐体を備える。
【００２０】
図１（ａ）〜図１（ｃ）に示すように、ＬＥＤランプ１０は、直管状の外郭部材が複数の長尺状部材に分離可能に構成された分割型の構造となっている。本実施の形態では、長尺状の基台１１と長尺状の透光性カバー１２とによって長尺筒状の筐体が構成される。つまり、基台１１と透光性カバー１２とを組み合わせることによって、両端部に開口を有する管状の筐体が構成される。ＬＥＤランプ１０は、例えば１１０形の直管形ＬＥＤランプであって、ランプ全長が約２３６７ｍｍである。
【００２１】
ＬＥＤランプ１０は、基台１１と、基台１１に固定された透光性カバー１２と、基台１１と透光性カバー１２とによって構成された長尺状の筐体の長手方向の両端部に設けられた一対の口金１３と、基台１１に配置されたＬＥＤモジュール１４とを備える。ＬＥＤランプ１０は、その他に、ＬＥＤモジュール１４を点灯させるための点灯回路（不図示）等と備えていてもよい。
【００２２】
なお、ＬＥＤモジュール１４は、１つだけ配置されていてもよいし、複数配置されていてもよい。ＬＥＤモジュール１４を複数配置する場合、隣り合うＬＥＤモジュール１４は、コネクタ線等によって電気的に接続される。
【００２３】
本実施の形態において、一対の口金１３は、いずれもＬＥＤモジュール１４に給電を行うための給電用口金である。つまり、ＬＥＤランプ１０では、ＬＥＤモジュール１４への給電を両側の口金１３から行う両側給電方式が採用されている。
【００２４】
取り付け部材２０は、ＬＥＤランプ１０を照明器具に取り付ける部材である。すなわち、取り付け部材２０は、照明器具とＬＥＤランプ１０とを連結する連結部材として機能するとともに、ＬＥＤランプ１０を照明器具に保持する保持部材として機能する。
【００２５】
取り付け部材２０は、ＬＥＤランプ１０に取り付けられた状態で、照明器具に固定される。取り付け部材２０は、例えば、金属や樹脂によって構成することができる。
【００２６】
本実施の形態において、取り付け部材２０は、ＬＥＤランプ１０の基台１１に取り付けられ、基台１１を支持するように構成されている。なお、基台１１と取り付け部材２０との接続部分の詳細構成については後述する。
【００２７】
以下、照明用光源１の各構成部材について、図１を参照しながら詳述する。
【００２８】
（基台）
基台１１は、ＬＥＤモジュール１４を保持（支持）するための支持基台である。また、基台１１は、ＬＥＤモジュール１４で発生する熱を放熱するヒートシンク（放熱体）としても機能する。したがって、基台１１は金属等の高熱伝導性材料によって構成することが好ましい。基台１１は、押し出し材又は引き抜き材とすることができる。本実施の形態における基台１１は、アルミニウムの引き抜き材によって構成された金属基台である。なお、基台１１は、樹脂製の樹脂基台であっても構わない。この場合、熱伝導率の高い樹脂材料を用いることが好ましい。
【００２９】
基台１１は、長尺状部材であり、基台１１にはＬＥＤモジュール１４が載置及び固定される。ＬＥＤモジュール１４と基台１１とは、例えば接着剤等によって固着することができる。基台１１は、透光性カバー１２の主開口を塞ぐようにして透光性カバー１２と一体化される。
【００３０】
図１（ｃ）に示すように、基台１１と透光性カバー１２とが一体化された状態で基台１１をＸ軸方向から見た場合は、基台１１の外面に沿った輪郭線と透光性カバー１２の外面に沿った輪郭線とで略真円が構成される。つまり、基台１１と透光性カバー１２とで構成される筐体は、直管形蛍光灯のガラス管（直管）と略同形状である。
【００３１】
基台１１は、ＬＥＤモジュール１４（基板１４ａ）を載置するための載置部１１ａと、外郭を構成する外郭部１１ｂとを備える。また、基台１１には、第１溝部１１ｃ及び第２溝部１１ｄが設けられている。本実施の形態において、基台１１は中空部材であり、載置部１１ａと外郭部１１ｂとの間の領域は中空部（空洞部）となっている。
【００３２】
載置部（載置板）１１ａは、板状であり、ＬＥＤモジュール１４（基板１４ａ）を載置するための載置面を有する。載置部１１ａの載置面は、透光性カバー１２の内面に対面している。本実施の形態において、基台１１を平面視したとき（Ｚ軸方向から見たとき）の載置面の形状は、長尺状矩形である。
【００３３】
外郭部１１ｂは、基台１１の外面の一部を構成し、断面形状が略半円弧状の半円筒部材である。なお、外郭部１１ｂは、長尺状筐体（外郭部材）の外面の一部でもある。
【００３４】
第１溝部１１ｃは、取り付け部材２０の第１固定部２１における２つの爪部２１ａに対応して、基台１１の両側の２箇所に設けられている。本実施の形態において、第１溝部１１ｃは、外郭部１１ｂの外面からＹ軸方向に窪むようにして形成されている。第１溝部１１ｃには、取り付け部材２０の第１固定部２１における爪部２１ａが嵌め込まれる。
【００３５】
第１溝部１１ｃは、基台１１の長手方向に沿って設けられた溝（スライドレール）である。本実施の形態における第１溝部１１ｃは、基台１１の長手方向の一方の端部から他方の端部にわたって延設されている。つまり、第１溝部１１ｃは、取り付け部材２０における爪部２１ａをスライド挿入させるためのガイド溝として機能する。したがって、一対の第１溝部１１ｃの各々に、取り付け部材２０における一対の爪部２１ａの各々をスライド挿入させることで、基台１１と取り付け部材２０とを連結することができる。このように、取り付け部材２０は、基台１１に対してスライド可能な状態で取り付けられている。
【００３６】
また、本実施の形態では、取り付け部材２０における一対の爪部２１ａが基台１１を両側から挟み込むように第１溝部１１ｃに嵌め込まれている。具体的には、第１溝部１１ｃは、取り付け部材２０のスライド挿入方向（Ｘ軸方向）に直交する方向（Ｙ軸方向）に窪んでいる。また、第１溝部１１ｃにスライド挿入される取り付け部材２０の爪部２１ａは、スライド挿入方向（Ｘ軸方向）に直交する方向（Ｙ軸方向）に突出している。これにより、爪部２１ａが第１溝部１１ｃに引っ掛かる状態となるので、取り付け部材２０と基台１１とを別途固定部材で固定しなくても、ＬＥＤランプ１０（基台１１）が取り付け部材２０から抜け落ちてしまうことを防止できる。
【００３７】
第２溝部１１ｄは、透光性カバー１２における２つの爪部１２ａに対応して、基台１１の両側の２箇所に設けられている。第２溝部１１ｄには、透光性カバー１２の爪部１２ａが嵌め込まれる。
【００３８】
第２溝部１１ｄは、第１溝部１１ｃと同様に、基台１１の長手方向に沿って設けられた溝（スライドレール）である。本実施の形態における第２溝部１１ｄは、基台１１の長手方向の一方の端部から他方の端部にわたって延設されている。つまり、第２溝部１１ｄは、透光性カバー１２における爪部１２ａをスライド挿入させるためのガイド溝として機能する。したがって、一対の第２溝部１１ｄの各々に、透光性カバー１２における一対の爪部１２ａの各々をスライド挿入させることで、基台１１と透光性カバー１２とを連結して一体化させることができる。
【００３９】
具体的には、口金１３を装着する前に、基台１１の長手方向の一方の端部から、透光性カバー１２の爪部１２ａを第２溝部１１ｄに挿入して、透光性カバー１２を基台１１の奥へとスライドさせる。これにより、透光性カバー１２と基台１１とを組み合わせることができる。なお、透光性カバー１２を基台１１にスライド挿入させた後、必要に応じて透光性カバー１２と基台１１とを接着剤等によって固着しても構わない。
【００４０】
また、本実施の形態では、透光性カバー１２における一対の１２ａが基台１１を両側から挟み込むように第２溝部１１ｄに嵌め込まれている。具体的には、第２溝部１１ｄは、透光性カバー１２のスライド挿入方向（Ｘ軸方向）に直交する方向（Ｙ軸方向）に窪んでいる。また、第２溝部１１ｄにスライド挿入される透光性カバー１２の爪部１２ａは、スライド挿入方向（Ｘ軸方向）に直交する方向（Ｙ軸方向）に突出している。これにより、爪部１２ａが第２溝部１１ｄに引っ掛かる状態となるので、透光性カバー１２が取り付け部材２０から抜け落ちてしまうことを防止できる。
【００４１】
また、上述のとおり、本実施の形態では、基台１１には、載置部１１ａと外郭部１１ｂとで囲まれる蒲鉾形の中空部が存在する。基台１１は引き抜き材であるので、中空部は、基台１１の長手方向の一方の端部から他方の端部に連通している。このように、中空部を設けた中空構造とすることによって、中身が詰まった中実構造と比べて、基台１１を軽量化することができる。これにより、ＬＥＤランプの撓みを抑制することができる。なお、中空部には、電源回路等のランプ部品を配置しても構わない。
【００４２】
（透光性カバー）
透光性カバー１２は、透光性を有するカバー部材であり、長尺状筐体の外面の一部を構成する。図１（ｃ）に示すように、透光性カバー１２は、ＬＥＤモジュール１４が配置された基台１１を覆うように構成されている。つまり、透光性カバー１２は、ＬＥＤモジュール１４を保護している。
【００４３】
図１（ａ）及び図１（ｃ）に示すように、透光性カバー１２は、長尺円筒の一部をその長手方向（Ｘ軸方向と平行な方向）に沿って切り欠いて形成された主開口を有する切り欠き略円筒部材となっている。
【００４４】
また、図１（ｃ）に示すように、透光性カバー１２の内面及び外面の輪郭形状は、長手方向（Ｘ軸方向）から見たとき（ＹＺ平面で切断したときの断面視）において、真円のリングの一部が切り欠かれた形状となっている。
【００４５】
本実施の形態において、透光性カバー１２の周方向の両端部（主開口の端部）には、爪部１２ａが形成されている。爪部１２ａは、透光性カバー１２の周方向の両端部を内方に屈曲させることによって構成されている。本実施の形態において、爪部１２ａは、スライド挿入方向（Ｘ軸方向）に直交する方向（Ｙ軸方向）に突出している。爪部１２ａは、基台１１の第２溝部１１ｄと嵌合される。
【００４６】
透光性カバー１２は、ＬＥＤモジュール１４が発する光を外部に透光する材料で構成されており、例えば、アクリルやポリカーボネート等の樹脂材料又はガラス材料を用いて構成することができる。本実施の形態では、１１０形の直管形ＬＥＤランプに対応する透光性カバー１２を用いている。
【００４７】
なお、透光性カバー１２に光拡散部を設けてもよい。これにより、ＬＥＤモジュール１４から放射された光を、透光性カバー１２を通過する際に拡散させることができる。光拡散部としては、例えば、透光性カバー１２の内面又は外面に形成された光拡散シート又は光拡散膜等がある。具体的には、シリカや炭酸カルシウム等の光拡散材（微粒子）を含有する樹脂や白色顔料を透光性カバー１２の内面又は外面に付着させることで、乳白色の光拡散膜を形成することができる。その他の光拡散部として、透光性カバー１２の内部又は外部に設けられたレンズ構造物、あるいは、透光性カバー１２に形成された凹部又は凸部がある。例えば、透光性カバー１２の内面又は外面にドットパターンを印刷したり、透光性カバー１２の一部を加工したりすることで、透光性カバー１２に光拡散機能を持たせることもできる。あるいは、透光性カバー１２そのものを、光拡散材が分散された樹脂材料等を用いて成形することで、透光性カバー１２に光拡散機能を持たせることもできる。
【００４８】
（口金）
一対の口金１３は、いずれも、ＬＥＤモジュール１４に給電するための給電用口金である。口金１３は、ＬＥＤモジュール１４のＬＥＤ１４ｂを点灯させるための電力をランプ外部（商用電源等）から受電する。
【００４９】
図１（ａ）に示すように、一対の口金１３の各々は、基台１１と透光性カバー１２とを一体化することによって構成される長尺状筐体の長手方向の両端部の各々を蓋するようにキャップ状に設けられている。
【００５０】
本実施の形態における口金１３は、ポリブチレンテレフタレート（ＰＢＴ）等の合成樹脂からなる口金本体１３ａと、金属材料等からなる導電性の一対の口金ピン１３ｂとからなる。
【００５１】
口金本体１３ａは、略有底円筒形状に構成されており、外面に溝部１３ａ１が設けられている。溝部１３ａ１は、取り付け部材２０の第１固定部２１における２つの爪部２１ａに対応して、口金本体１３ａの両側の２箇所に設けられている。本実施の形態において、溝部１３ａ１は、口金本体１３ａの外面から窪むようにして形成されている。溝部１３ａ１には、取り付け部材２０の第１固定部２１における爪部２１ａが嵌め込まれる。
【００５２】
また、口金本体１３ａの溝部１３ａ１は、Ｘ軸方向に沿って設けられた溝（スライドレール）である。実施の形態における溝部１３ａ１は、口金本体１３ａの一方の端部から他方の端部にわたって延設されるとともに、ＬＥＤランプ１０の長手方向に沿って基台１１の第１溝部１１ｃと連続して設けられている。
【００５３】
溝部１３ａ１は、取り付け部材２０における爪部２１ａをスライド挿入させるためのガイド溝として機能する。したがって、一対の溝部１３ａ１の各々に、取り付け部材２０における一対の爪部２１ａの各々をスライド挿入させることで、口金１３と取り付け部材２０とを連結することができる。
【００５４】
具体的には、取り付け部材２０（第１固定部２１）の爪部２１ａを、一方の口金１３の溝部１３ａ１の端部から挿入し、その後、連続して基台１１の第１溝部１１ｃにスライド挿入し、さらに、連続して他方の口金１３の溝部１３ａ１にまで挿入する。これにより、取り付け部材２０と口金１３及び基台１１とを組み合わせることができる。このように、取り付け部材２０は、基台１１だけではなく、口金１３に対してもスライド可能な状態で取り付けられている。
【００５５】
また、取り付け部材２０における一対の爪部２１ａは、基台１１と同様に、口金本体１３ａを両側から挟み込むように溝部１３ａ１に嵌め込まれている。これにより、ＬＥＤランプ１０（基台１１）が取り付け部材２０から抜け落ちてしまうことを防止できる。
【００５６】
口金ピン１３ｂは、照明器具からＬＥＤモジュール１４を点灯させるための電力を受電する機能を有する。例えば、口金１３を照明器具のソケットに装着させることによって、一対の口金ピン１３ｂは照明器具に内蔵された電源装置から電力（交流電力又は直流電力）を受ける状態となる。また、口金ピン１３ｂは、ＬＥＤランプ１０を照明器具に保持するためのピンとしても機能する。
【００５７】
なお、一対の口金ピン１３ｂは、リード線によって筐体内の点灯回路と接続されており、一対の口金ピン１３ｂが受電した電力は点灯回路に供給される。この場合、口金ピン１３ｂが交流電力を受電する場合は、点灯回路には交流電力を直流電力に変換する回路が含まれる。
【００５８】
なお、本実施の形態では、両方の口金１３から給電を行う両側給電方式としたが、一方の口金１３のみから給電を行う片側給電方式としても構わない。この場合、給電を行わない方の口金１３は、非給電用口金となり、ＬＥＤランプ１０を照明器具に取り付けるための取り付け部として機能する。
【００５９】
また、一方の口金１３を非給電用口金とする場合、この口金１３にアース機能を持たせても構わない。この場合、口金ピンをアースピンとし、口金ピンと基台１１とをアース接続し、照明器具を介して基台１１を接地させる。
【００６０】
（ＬＥＤモジュール）
ＬＥＤモジュール１４は、ＬＥＤランプ１０の光源であり、透光性カバー１２によって覆われる形で、基台１１の上に載置される。本実施の形態では、複数のＬＥＤモジュール１４が基台１１の長手方向に沿って一列に配置されている。
【００６１】
ここで、ＬＥＤモジュール１４の詳細な構成について、図２Ａを用いて説明する。図２Ａは、本発明の実施の形態に係る照明用光源のＬＥＤランプに用いられるＬＥＤモジュールの斜視図である。
【００６２】
図２Ａに示すように、ＬＥＤモジュール１４は、ＬＥＤチップが基板上に直接実装されたＣＯＢ（Ｃｈｉｐ  Ｏｎ  Ｂｏａｒｄ）型の発光モジュールである。ＬＥＤモジュール１４は、基板１４ａと、複数のＬＥＤ（ベアチップ）１４ｂと、ＬＥＤ１４ｂを封止する封止部材１４ｃと、ＬＥＤモジュール外部からＬＥＤ１４ｂを発光させるための電力を受ける電極端子１４ｄとを備える。
【００６３】
なお、図示しないが、ＬＥＤモジュール１４には、ＬＥＤ１４ｂ同士を電気的に接続するとともにＬＥＤ１４ｂに電力を供給するための金属配線、及び、ＬＥＤ１４ｂと金属配線とを電気的に接続するための金ワイヤ等が設けられている。
【００６４】
基板１４ａは、ＬＥＤ１４ｂを実装するための実装基板である。本実施の形態では、基板１４ａとして、筐体（基台１１、透光性カバー１２）の長手方向に長尺状をなす矩形基板を用いている。基板１４ａは、ＬＥＤ１４ｂが実装される面である第１主面と、第１主面とは反対側の面である第２主面とを有する。ＬＥＤ１４ｂは基板１４ａの第１主面にのみ実装されている。
【００６５】
基板１４ａとしては、アルミナや窒化アルミニウム等からなる透光性を有するセラミックス基板、ガラス基板、金属板に絶縁膜が被覆されたメタルベース基板、又は、樹脂からなる樹脂基板等を用いることができる。メタルベース基板としては、例えば、アルミニウム合金基板、鉄合金基板又は銅合金基板等をベース金属板として用いることができる。樹脂基板としては、例えば、ガラスコンポジット基板（ＣＥＭ−３等）、ガラスエポキシ基板（ＦＲ−４等）、紙フェノールや紙エポキシからなる基板（ＦＲ−１等）、又は、ポリイミド等からなる可撓性を有するフレキシブル基板を用いることができる。
【００６６】
ＬＥＤ１４ｂは、発光素子の一例であって、基板１４ａ上に実装される。図２Ａに示すように、基板１４ａには、複数のＬＥＤ１４ｂが基板１４ａの長手方向に沿ってライン状に一列配置されている。各ＬＥＤ１４ｂは、単色の可視光を発するベアチップであり、ダイアタッチ材（ダイボンド材）によって基板１４ａ上にダイボンディングされている。ＬＥＤ１４ｂとしては、例えば通電されると青色光を発光する青色ＬＥＤチップを用いることができる。なお、本実施の形態において、筐体内の全てのＬＥＤ１４ｂは同じ光特性を有する。
【００６７】
各ＬＥＤ１４ｂは、金属配線又は金ワイヤ等によって、直列接続、並列接続、又は直列接続と並列接続との組み合わせ接続となるように構成することができる。
【００６８】
封止部材１４ｃは、光波長変換体である蛍光体を含む蛍光体含有樹脂であって、ＬＥＤ１４ｂからの光を所定の波長に波長変換（色変換）するとともに、ＬＥＤ１４ｂを樹脂封止してＬＥＤ１４ｂを保護する。封止部材１４ｃは、基板１４ａ上の全てのＬＥＤ１４ｂを一括封止するようにＬＥＤ１４ｂの配列方向に沿って直線状に形成されている。このように、封止部材１４ｃが個々のＬＥＤ１４ｂを封止するのではなく複数のＬＥＤ１４ｂを一括して封止しているので、隣り合うＬＥＤ１４ｂ間の封止部材１４ｃからも光を放出させることができる。これにより、ＬＥＤ１４ｂの上方のみの輝度が高くなることを抑制することができ、輝点（つぶつぶ感）を低減することができる。
【００６９】
封止部材１４ｃとしては、例えばＬＥＤ１４ｂが青色ＬＥＤである場合、白色光を得るために、ＹＡＧ（イットリウム・アルミニウム・ガーネット）系の黄色蛍光体粒子をシリコーン樹脂に分散させた蛍光体含有樹脂を用いることができる。これにより、黄色蛍光体粒子は青色ＬＥＤチップの青色光によって励起されて黄色光を放出するので、封止部材１４ｃからは、励起された黄色光と青色ＬＥＤチップの青色光とによって白色光が放出される。なお、封止部材１４ｃに、シリカ等の光拡散材も含有させても構わない。
【００７０】
電極端子１４ｄは、ＬＥＤ１４ｂを発光させるための直流電力を受電する外部接続端子である。電極端子１４ｄは、基板１４ａにパターン形成された金属配線と電気的に接続されている。電極端子１４ｄとしては、コネクタ線が装着されるソケット型の端子、又は、所定形状の金属膜からなる端子等である。
【００７１】
（ＬＥＤモジュールの変形例）
また、ＬＥＤモジュール１４としては、ＣＯＢ構造ではなく、図２Ｂに示すように、表面実装（ＳＭＤ：Ｓｕｒｆａｃｅ  Ｍｏｕｎｔ  Ｄｅｖｉｃｅ）構造のＬＥＤモジュールを用いてもよい。図２Ｂは、本発明の実施の形態に係る照明用光源に用いられるＬＥＤモジュールの変形例の斜視図である。
【００７２】
図２Ｂに示すように、ＬＥＤモジュール１４Ａは、基板１４ａと、基板１４ａ上に一列に実装された複数のＬＥＤ１４ｅと、電極端子１４ｄとを備える。なお、図示しないが、基板１４ａ上には、所定形状の金属配線が形成されている。金属配線は、ＬＥＤ１４ｅ及び電極端子１４ｄと電気的に接続されている。
【００７３】
各ＬＥＤ１４ｅは、ＬＥＤチップと蛍光体とがパッケージ化された、いわゆるＳＭＤ型のＬＥＤ素子である。各ＬＥＤ１４ｅは、パッケージ１４ｅ１と、パッケージ１４ｅ１に実装されるＬＥＤチップ１４ｅ２と、ＬＥＤチップ１４ｅ２を封止する封止部材１４ｅ３と、ワイヤ等の配線等とを備える。本実施の形態におけるＬＥＤ１４ｅは、白色光を発する白色ＬＥＤ素子である。ＬＥＤ１４ｅは、正極及び負極の２つの外部接続端子を有しており、この外部接続端子は、基板１４ａ上の金属配線と半田付け等によって電気的に接続されている。
【００７４】
パッケージ１４ｅ１は、白色樹脂等の非透光性樹脂で成型された容器であり、例えば逆円錐台形状の凹部（キャビティ）を備える。凹部の内側面は傾斜面となっており、ＬＥＤチップ１４ｅ２からの光を上方に反射させるように構成されている。
【００７５】
ＬＥＤチップ１４ｅ２は、パッケージ１４ｅ１の凹部の底面に実装されている。ＬＥＤチップ１４ｅ２は、上述のＬＥＤ１４ｂと同様のものを用いることができる。
【００７６】
封止部材１４ｅ３は、ＬＥＤチップ１４ｅ２を覆うように、パッケージ１４ｅ１の凹部に充填される。封止部材１４ｅ３は、上述の封止部材１４ｃと同様のものを用いることができる。
【００７７】
（取り付け部材）
取り付け部材２０は、ＬＥＤランプ１０の基台１１に固定される第１固定部２１と、照明器具に固定される第２固定部２２と、第１固定部２１と第２固定部２２とを接続する接続部２３とを有する。接続部２３は、第１固定部２１と第２固定部２２とに固定されている。取り付け部材２０は、金属又は樹脂によって構成することができる。
【００７８】
第１固定部２１は、長尺状であって、例えばＬＥＤランプ１０の全長とほぼ同じ長さである。また、第１固定部２１は、基台１１を覆うように構成されており、本実施の形態では、第１固定部２１の内面と基台１１の外面とは面接触している。したがって、本実施の形態において、第１固定部２１は、基台１１の外郭部１１ｂと略同形状であり、長尺円筒の一部をその長手方向（Ｘ軸方向と平行な方向）に沿って切り欠いて形成された主開口を有する切り欠き略円筒部材となっている。
【００７９】
このように、第１固定部２１の内面と基台１１の外面とを面接触させることによって、基台１１に伝導したＬＥＤモジュール１４の熱は第１固定部２１に効率良く伝導する。第１固定部２１に伝導した熱は、第１固定部２１の外面から大気中に放熱される。
【００８０】
また、第１固定部２１の周方向の両端部（主開口の端部）には、爪部２１ａが形成されている。爪部２１ａは、第１固定部２１の周方向の両端部を内方に屈曲させることによって構成されている。本実施の形態において、爪部２１ａは、スライド挿入方向（Ｘ軸方向）に直交する方向（Ｙ軸方向）に突出している。爪部２１ａは、基台１１の第１溝部１１ｃと嵌合される。
【００８１】
第２固定部２２は、照明器具との接続部分であり、例えば板状部材で構成することができる。本実施の形態における第２固定部２２は、Ｘ軸方向に沿って長尺状に構成されている。また、第２固定部２２には複数のネジ孔２２ａが設けられている。第２固定部２２と照明器具とは、ネジ孔２２ａにネジ１３０をねじ込むことで固定される。第２固定部２２を照明器具に固定することで、第１固定部２１によって支持されるＬＥＤランプ１０が照明器具に保持される。
【００８２】
接続部２３は、第１固定部２１と第２固定部２２との間に設けられており、例えば円柱部材によって構成することができる。接続部２３を設けることによって、第２固定部２２と照明器具とをネジによって容易にネジ止めすることができる。
【００８３】
なお、取り付け部材２０の内部には、ＬＥＤモジュール１４を駆動等するための種々の回路等の電子部品が内蔵されていてもよい。電子部品としては、ＬＥＤモジュール１４を点灯させるための点灯回路、調光回路又は人感センサ等がある。
【００８４】
このように構成される取り付け部材２０は、ＬＥＤランプ１０を保持する機能を有するだけではなく、ヒートシンクとしても機能する。したがって、取り付け部材２０は、金属等の高熱伝導材料を用いることが好ましい。取り付け部材２０を高熱伝導材料によって構成することにより、ＬＥＤランプ１０の熱を取り付け部材２０へと効率良く放熱させることができる。取り付け部材２０に伝導した熱は、取り付け部材２０の露出面から大気中に放熱される。
【００８５】
但し、取り付け部材２０に回路を内蔵する場合は、絶縁性を確保するために、少なくとも回路を内蔵する部分の取り付け部材２０は樹脂によって構成することが好ましい。
【００８６】
以上のようにして、本実施の形態に係る照明用光源１が構成されている。このように、本実施の形態に係る照明用光源１によれば、基台１１の第１溝部１１ｃにスライド挿入された取り付け部材２０が照明器具に固定されている。これにより、ＬＥＤランプ１０は、口金１３によって照明器具に保持されるだけではなく、取り付け部材２０によっても照明器具に保持される。このため、ＬＥＤランプ１０の保持力を向上させることができる。したがって、全長が長尺状であっても、ＬＥＤランプ１０の撓みを抑制することのできる照明用光源を実現することができる。
【００８７】
しかも、本実施の形態では、取り付け部材２０の一部が基台１１の第１溝部１１ｃにスライド挿入されているので、ＬＥＤランプ１０を取り付け部材２０から容易に外すことができる。
【００８８】
さらに、本実施の形態では、第１溝部１１ｃがスライド挿入の方向と直交する方向に窪んでおり、また、第１溝部１１ｃにスライド挿入される第１固定部２１の爪部２１ａがスライド挿入の方向と直交する方向に突出している。
【００８９】
これにより、ＬＥＤランプ１０の落下防止のためにＬＥＤランプ１０と取り付け部材２０とを別途固定部材で固定することなく、取り付け部材２０によってＬＥＤランプ１０を照明器具に保持することができる。つまり、ＬＥＤランプ１０と取り付け部材２０とのスライド可能状態を維持させたまま、ＬＥＤランプ１０を保持することができる。
【００９０】
（照明装置）
次に、発明の実施の形態に係る照明装置について、図３を用いて説明する。図３は、本発明の実施の形態に係る照明装置の側面図であり、図１に示す照明用光源１を照明器具に取り付けた場合を示している。
【００９１】
図３に示すように、本実施の形態における照明装置２は、上述の照明用光源１と、照明器具１００とを備える。照明器具１００は、器具本体１１０と、一対のソケット１２０とを備える。
【００９２】
器具本体１１０は、例えば天井等に固定具を介して固定されている。また、器具本体１１０には、取り付け部材２０の第２固定部２２が固定される。器具本体１１０と第２固定部２２とは、図３に示すように、例えば、第２固定部２２のネジ孔２２ａと器具本体１１０とにネジ１３０をねじ込むことによってネジ止めされている。これにより、ＬＥＤランプ１０は、取り付け部材２０によって照明器具１００に保持される。
【００９３】
一対のソケット１２０は、器具本体１１０に取り付けられている。ソケット１２０は、ＬＥＤランプ１０の口金１３に給電を行うとともに口金１３を保持する。ソケット１２０には、口金１３の口金ピン１３ｂを係止する係止穴が設けられている。ソケット１２０に口金ピン１３ｂを挿入することによって、ＬＥＤランプ１０は口金１３を介して照明器具１００（ソケット１２０）に保持される。
【００９４】
なお、照明器具１００には、照明用光源１を覆うように透光性のカバー部材が設けられていてもよい。
【００９５】
以上、本実施の形態に係る照明装置２によれば、上述のように、ＬＥＤランプ１０は、口金１３によって照明器具に保持されるだけではなく、取り付け部材２０によっても照明器具に保持される。これにより、長尺状のＬＥＤランプ１０であっても、撓みを抑制することができる。
【００９６】
また、上述のとおり、取り付け部材２０の一部が基台１１の第１溝部１１ｃにスライド挿入されているので、ＬＥＤランプ１０を取り付け部材２０から容易に外すことができる。したがって、電源を入れてもＬＥＤランプ１０が点灯しなくなった場合、ＬＥＤランプ１０をスライドさせることで容易に取り付け部材２０から外すことができる。これにより、容易にランプ交換を行うことができる。なお、この場合、ＬＥＤランプ１０をスライドさせるために、一対のソケット１２０の一方を回転させる構造としたり取り外す構造としたりする必要がある。
【００９７】
（変形例１）
次に、本発明の変形例１に係る照明用光源１Ａについて、図４を用いて説明する。図４は、本発明の変形例１に係る照明用光源の断面図である。
【００９８】
本変形例においても、上記実の形態と同様に、照明器具に固定される取り付け部材２０Ａの一部（第１固定部２１Ａ）が、基台１１Ａの第１溝部１１ｃＡにスライド挿入されている。また、本変形例でも、取り付け部材２０の一部（第１固定部２１Ａ）が基台１１Ａの第１溝部１１ｃＡに嵌め込まれている。
【００９９】
図４に示す本変形例における照明用光源１Ａが図１に示す照明用光源１と異なる点は、取り付け部材２０Ａと第１溝部１１ｃＡとの接続方法である。
【０１００】
本変形例でも、第１溝部１１ｃＡが取り付け部材２０Ａのスライド挿入方向（Ｘ軸方向）に直交する方向（Ｙ軸方向）に窪んでおり、この点においては、上記の実施の形態と同様である。しかし、上記の実施の形態における第１溝部１１ｃは、基台１１（外郭部１１ｂ）の外面の両側から内方に向かう方向に窪んでいるのに対して、本変形例では、基台１１（外郭部１１ｂＡ）の中心から外側に向かう方向に窪んでいる。
【０１０１】
また、本変形例でも、取り付け部材２０Ａの一部がスライド挿入方向（Ｘ軸方向）に直交する方向（Ｙ軸方向）に突出しており、この点においては、上記の実施の形態と同様である。しかし、上記の実施の形態における第１固定部２１は、基台１１を覆うように構成されて爪部２１ａが内方に向かう方向に突出しているのに対して、本変形例では、第１固定部２１Ａそのものが基台１１Ａの内面形状に沿って周方向の両側に広がるように構成されている。
【０１０２】
この構成により、上記の実施の形態と同様に、ＬＥＤランプ１０Ａの落下防止のためにＬＥＤランプ１０Ａと取り付け部材２０Ａとを別途固定部材で固定することなく、取り付け部材２０ＡによってＬＥＤランプ１０Ａを照明器具に保持することができる。
【０１０３】
また、本変形例では、凹凸部１１ｅＡが形成されている。凹凸部１１ｅＡは、外郭部１１ｂＡにおける露出部分に形成されている。凹凸部１１ｅＡは放熱フィンとして機能する。すなわち、凹凸部１１ｅＡを形成することによって基台１１Ａ（外郭部１１ｂＡ）の表面積を大きくすることができ、基台１１Ａの放熱性を向上させることができる。なお、基台１１Ａは引き抜き材であるので、凹凸部１１ｅＡの凸部又は凹部は、基台１１Ａの長手方向の一方の端部から他方の端部にわたって連続して形成されている。
【０１０４】
以上、本変形例における照明用光源１Ａによれば、上記の実施の形態と同様に、基台１１Ａの第１溝部１１ｃＡにスライド挿入された取り付け部材２０Ａが照明器具に固定されている。これにより、ＬＥＤランプ１０Ａは、口金１３によって照明器具に保持されるだけではなく、取り付け部材２０Ａによっても照明器具に保持される。したがって、全長が長尺状であっても、ＬＥＤランプ１０Ａの撓みを抑制することのできる照明用光源を実現することができる。
【０１０５】
また、本変形例では、図１に示す上記の実施の形態と比べて基台１１Ａの露出部分が多くなっているので、基台１１Ａに伝導した熱を直接外気に放熱させることができる。さらに、本変形例では、凹凸部１１ｅＡが設けられているので優れた放熱性を有する。したがって、図１に示す上記の実施の形態と比べて、放熱性を向上させることができる。
【０１０６】
（変形例２）
次に、本発明の変形例２に係る照明用光源１Ｂについて、図５を用いて説明する。図５は、本発明の変形例２に係る照明用光源の断面図である。
【０１０７】
図５に示すように、本変形例における照明用光源１Ｂは、図４に示す変形例１の照明用光源１Ａに対して、取り付け部材２０Ｂに補強部材２４を付加した構造となっている。具体的には、取り付け部材２０ＢとＬＥＤランプ１０Ｂとは、第１固定部２１Ａと２つの補強部材２４とによって接続固定されている。
【０１０８】
補強部材２４は、一端が第２固定部２２に固定されており、他端が基台１１Ｂに設けられた第１溝部１１ｃＢに嵌め込まれており、第１固定部２１Ａと同様に、第１基台１１Ｂに対してスライド挿入可能な構造となっている。
【０１０９】
したがって、本変形例では、ＬＥＤランプ１０Ｂと取り付け部材２０とを接続する際、基台１１Ｂの第１溝部１１ｃＡに第１固定部２１Ａをスライド挿入すると同時に基台１１Ｂの第１溝部１１ｃＢに補強部材２４の他端をスライド挿入する。これにより、第１基台１１Ｂが第２固定部２２に連結固定されるので、ＬＥＤランプ１０Ｂが取り付け部材２０に保持された状態となる。
【０１１０】
このように、本変形例におけるＬＥＤランプ１０Ｂは、第１固定部２１Ａだけではなく、補強部材２４によっても取り付け部材２０Ｂに保持されている。したがって、取り付け部材２０Ｂを照明器具に固定することで、ＬＥＤランプ１０Ｂが照明器具に対して保持される。
【０１１１】
なお、補強部材２４の形状は、第２固定部２２から下方に延びるような棒状であってもよいし、第２固定部２２から下方に延びるとともにＸ軸方向にも延設された略板状の形状であってもよい。また、補強部材２４を棒状とする場合は、Ｘ軸方向に沿って断続的に複数個存在するように構成してもよい。
【０１１２】
以上、本変形例における照明用光源１Ｂによれば、変形例１と同様に、全長が長尺状であってもＬＥＤランプ１０Ｂの撓みを抑制することができる。また、変形例１と同様に、優れた放熱性を有する。
【０１１３】
さらに、本変形例では、変形例１に対して補強部材２４が付加されているので、ＬＥＤランプ１０Ｂの保持力を強化することができる。これにより、ＬＥＤランプ１０Ｂの落下防止性能が向上するので、安全性が向上する。
【０１１４】
また、本変形例では、第１基台１１Ｂと第２固定部２２とが、第１固定部２１Ａ及び接続部２３だけではなく補強部材２４によっても接続された構造となっている。これにより、変形例１に対して、熱伝達経路が増加するので、ＬＥＤランプ１０Ｂの放熱性を向上させることができる。
【０１１５】
なお、本変形例において、第１溝部１１ｃＢは凹凸部１１ｅＡの凹部としているが、これに限らない。また、本変形例において、補強部材２４を、図４に示す第１固定部２１Ａ及び接続部２３と同様の構成としても構わない。つまり、図４において、第１固定部２１Ａ及び接続部２３を複数設ける構造としても構わない。
【０１１６】
（その他）
以上、本発明に係る照明用光源及び照明装置について、実施の形態及び変形例に基づいて説明したが、本発明は、上記の実施の形態及び変形例に限定されるものではない。
【０１１７】
例えば、上記の実施の形態及び変形例において、口金１３は、いずれも分割されていない非分割型の口金としたが、複数に分割された（例えば２分割された）構造である分割型の口金を用いても構わない。
【０１１８】
また、上記の実施の形態及び変形例において、口金１３は、Ｇ１３口金に対応する構造としたが、一対のＬ字の口金ピンを有するＬ形口金としても構わない。
【０１１９】
また、上記の実施の形態及び変形例において、ＬＥＤモジュールは、青色ＬＥＤチップと黄色蛍光体とによって白色光を放出するように構成したが、これに限らない。例えば、演色性を高めるために、黄色蛍光体に加えて、さらに赤色蛍光体や緑色蛍光体を混ぜても構わない。また、黄色蛍光体を用いずに、赤色蛍光体及び緑色蛍光体を含有する蛍光体含有樹脂を用いて、これと青色ＬＥＤチップとを組み合わせることによりに白色光を放出するように構成することもできる。
【０１２０】
また、上記の実施の形態及び変形例において、ＬＥＤチップは、青色以外の色を発光するＬＥＤチップを用いても構わない。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１２１】
また、上記の実施の形態及び変形例において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の固体発光素子、あるいは、その他の発光素子を用いてもよい。
【０１２２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【０１２３】
本発明は、ＬＥＤ等の発光素子を用いた照明用光源、特に長尺状の照明用光源及びこれを備えた照明装置等として広く利用することができる。
【符号の説明】
【０１２４】
１、１Ａ、１Ｂ  照明用光源
２  照明装置
１０、１０Ａ  ＬＥＤランプ
１１、１１Ａ  基台
１１ａ  載置部
１１ｂ、１１ｂＡ  外郭部
１１ｃ、１１ｃＡ、１１ｃＢ  第１溝部
１１ｄ  第２溝部
１１ｅＡ  凹凸部
１２  透光性カバー
１２ａ、２１ａ  爪部
１３  口金
１３ａ  口金本体
１３ａ１  溝部
１３ｂ  口金ピン
１４、１４Ａ  ＬＥＤモジュール
１４ａ  基板
１４ｂ、１４ｅ  ＬＥＤ
１４ｃ、１４ｅ３  封止部材
１４ｄ  電極端子
１４ｅ１  パッケージ
１４ｅ２  ＬＥＤチップ
２０、２０Ａ  取り付け部材
２１、２１Ａ  第１固定部
２２  第２固定部
２３  接続部
２４  補強部材
１００  照明器具
１１０  器具本体
１２０  ソケット
１３０  ネジ
【図１】
2014116096.tif 000003
【図２Ａ】
2014116096.tif 000004
【図２Ｂ】
2014116096.tif 000005
【図３】
2014116096.tif 000006
【図４】
2014116096.tif 000007
【図５】
2014116096.tif 000008